(57)【要約】【課題】一般的な編み物である生地で作られ、身体に密着してねじり方向の力が身体に作用し、着用部分にねじり方向の力を意識させるとともに、着用感も良好な衣服を提供する。【解決手段】一様な編み地の生地で作られ、生地の編成方向であるＹ方向が、身体の長軸方向に対して交差している。衣服はウエストラインから大腿部の中間に達するスパッツである。生地のＹ方向は、大腿部正面では、脇部上方から内股部下方へ向かうように左右でＶ字形に傾斜し、大腿部背面では内股側上方から脇部下方へ向かうように左右でハの字形に傾斜している。傾斜する角度は、生地のＹ方向が大腿部正面の身体垂直方向に対して、脇部上方に６０°〜３０°となる角度となっているものである。生地は、２ウェイトリコット生地である。生地にはＹ方向に沿って、通気用の開口部３２が編み組織の中に設けられている。【選択図】図１
2011074502.tif 000002
【特許請求の範囲】
【請求項１】
一様な編み地の生地で作られ、前記生地の編成方向であるＹ方向が、身体の長軸方向に対して交差していることを特徴とする衣服。
【請求項２】
前記衣服は、ウエストラインから大腿部の中間に達するスパッツであり、前記生地のＹ方向が大腿部正面では脇部上方から内股部下方へ向かうように左右でＶ字形に傾斜し、大腿部背面では内股側上方から脇部下方へ向かうように左右でハの字形に傾斜し、傾斜する角度は、前記生地のＹ方向が大腿部正面の身体垂直方向に対して脇部上方に６０°〜３０°の角度となっていることを特徴とする請求項１記載の衣服。
【請求項３】
前記生地は２ウェイトリコット生地であり、前記生地には、Ｙ方向に沿って、通気用の開口部が編み組織の中に列になって設けられていることを特徴とする請求項１記載の衣服。
【発明の詳細な説明】
【技術分野】
【０００１】
この発明は、各種の運動競技やそれに準じる運動等をするために着用される衣服に関する。
【背景技術】
【０００２】
従来の衣服で下半身に着用する下衣には、伸縮性の生地により作られ脚部にフィットする形状に形成されたものがある。このような衣服の場合、脚部にはほぼ均等なフィット感で接するものである。また、部分的に緊締力が高い部分を設け、身体にいろいろな効果を付与する衣服もあった。例えば、特許文献１に開示されている体に密着する衣料は、柄交互に伸縮率の強弱を設けたストライプパワーネットを用いて作られている。ストライプパワーネットは、生地の伸び方向に平行で一定幅のストライプ柄を設け、編み地自体に張力の強弱に差がある模様が設けられている。そしてこの衣料は、ストライプパワーネットの伸び方向を人体垂直に対し４５°の角度になるように作られている。作り方は、ストライプパワーネットの伸び方向を人体垂直方向に対し４５°の角度になるように型紙を配置し、裁断し、縫い合わせるものである。
【先行技術文献】
【特許文献】
【０００３】
【特許文献１】特開２００９−１２７１７９号公報
【発明の概要】
【発明が解決しようとする課題】
【０００４】
従来の技術の、特許文献１に示す体に密着する衣料は、ストライプ柄を設け柄交互に伸縮率の強弱を設けたストライプパワーネットが必要であり、特殊な生地を使用する製品であり、締め付けが強くて着用感が悪く、体形補正等の用途に限られている。そこで、より一般的な生地を使用して製造し、着用部分をゆるやかに締め付けるとともに、その締め付け力によりねじり方向の力が作用して着用感を良好とするものが求められていた。
【０００５】
この発明は、上記背景技術の問題点に鑑みてなされたものであり、一般的な編み物である生地で作られ、身体に密着してねじり方向の力が身体に作用し、着用部分にねじり方向の力を意識させるとともに、着用感も良好な衣服を提供することを目的とする。
【課題を解決するための手段】
【０００６】
本発明は、一様な編み地の生地で作られ、前記生地の編成方向であるＹ方向が、身体の長軸方向に対して交差している衣服である。
【０００７】
また、前記衣服はウエストラインから大腿部の中間に達するスパッツであり、前記生地のＹ方向が大腿部正面では脇部上方から内股部下方へ向かうように左右でＶ字形に傾斜し、大腿部背面では内股側上方から脇部下方へ向かうように左右でハの字形に傾斜し、傾斜する角度は、前記生地のＹ方向が大腿部正面の身体垂直方向に対して脇部上方に６０°〜３０°となる角度となっているものである。
【０００８】
また、前記生地は、例えば２ウェイトリコット生地である。前記生地にはＹ方向に沿って、通気用の開口部が編み組織の中に列になって設けられているものである。
【発明の効果】
【０００９】
本発明は、一般的な編み物である生地で作られ、身体に密着して着用され、着用部分を締め付けるにより、身体の長軸方向に対して交差するねじり力が作用し、着用者に捻り方向の力を意識させ、体位の矯正効果がある衣服である。さらに、強く締め付けるものではなく、着用感が良好となり、運動する際も体を動かしやすく、疲労感等を軽減することができる。
【図面の簡単な説明】
【００１０】
【図１】この発明の第一実施形態の衣服の正面図である。
【図２】この発明の第一実施形態の衣服の背面図である。
【図３】この発明の第二実施形態の衣服の正面図である。
【発明を実施するための形態】
【００１１】
以下、この発明の実施形態について図面に基づいて説明する。図１、図２はこの発明の第一実施形態を示すもので、この実施形態の衣服１０は、ウエストラインから大腿部の中間付近を覆うスパッツである。
【００１２】
衣服１０は、ウエスト部分を左右の半周毎に形成する右ウエスト部１２と左ウエスト部１４が設けられ、右ウエスト部１２と左ウエスト部１４は、前中心１６と後中心１８で縫い合わされ、着用者の胴部を一周している。右ウエスト部１２の下端部には右股関節部２０が設けられ、左ウエスト部１４の下端部には左股関節部２２が設けられている。右股関節部２０と左股関節部２２は、股関節の部分を身体の半周毎に形成し、右股関節部２０と左股関節部２２は、前中心１６と後中心１８で縫い合わされて股関節部分を一周している。
【００１３】
右股関節部２０の下端部は筒状に形成され、下端部には右足部２４が連続して設けられている。右足部２４は、右の大腿部を覆う円筒形であり、内股部２６で両側縁部が縫い合わされて筒状に形成されている。左股関節部２２の下端部も同様に筒状に形成され、下端部には左足部２８が連続して設けられている。左足部２８は、左の大腿部を覆う円筒形であり、内股部３０で両側縁部が縫い合わされて筒状に形成されている。
【００１４】
右ウエスト部１２、左ウエスト部１４は、縦編みの編み地である２ウェイトリコット生地１１で作られている。２ウェイトリコット生地１１は、編み糸の往復方向であるＸ方向と、Ｘ方向に直角に交差し縦編み地の長手方向（編成方向）であるＹ方向と、Ｘ方向とＹ方向に交差する斜め方向に、自由に収縮する。実際には生地は、Ｘ方向とＹ方向の２方向に収縮している。右ウエスト部１２、左ウエスト部１４に使用される２ウェイトリコット生地１１には、通気用の開口部３２が設けられている。開口部３２は、２ウェイトリコット生地１１のＹ方向に沿って、直線状に複数本並んで設けられている。右ウエスト部１２、左ウエスト部１４は、２ウェイトリコット生地１１のＹ方向が身体垂直方向に対してほぼ平行に設けられている。ただし、図１に示す正面では、わずかに上に向かうにつれて前中心１６に近づくように傾斜し、図２に示す背面では、わずかに上に向かうにつれて後中心１８に近づくように傾斜している。
【００１５】
右股関節部２０、左股関節部２２は、開口部３２が設けられていない２ウェイトリコット生地１１で作られている。右股関節部２０、左股関節部２２は、２ウェイトリコット生地１１のＹ方向が身体垂直方向に対してほぼ平行に設けられている。
【００１６】
右足部２４は、開口部３２を有する２ウェイトリコット生地１１で作られている。２ウェイトリコット生地１１のＹ方向は、図１に示す正面では上に向かうにつれて脇部２５に近づくように傾斜し、図２に示す背面では上に向かうにつれて内股部２６に近づくように傾斜している。傾斜する角度は、２ウェイトリコット生地１１のＹ方向が正面では身体垂直方向に対して脇部２５上方に６０°以上３０°以下、好ましくは４５°以下３０°以上の角度となっている。つまり、２ウェイトリコット生地１１のＸ方向は身体の水平方向に対して内股部２６上方に６０°以下の角度となる。正面では、開口部３２の列が１本位置し、右股関節部２０との境界で脇部２５に近い位置から、右足部２４の途中の高さで内股部２６に達して設けられている。背面にも、開口部３２の列が１本位置し、右股関節部２０との境界で内股部２６に近い位置から、右足部２４の下端部２４ａの脇部２５に近い位置に達して設けられている。
【００１７】
左足部２８は、開口部３２を有する２ウェイトリコット生地１１で作られている。２ウェイトリコット生地１１のＹ方向は、図１に示す正面では上に向かうにつれて脇部２９に近づくように傾斜し、図２に示す背面では上に向かうにつれて内股部３０に近づくように傾斜している。傾斜する角度は、２ウェイトリコット生地１１のＹ方向が正面では身体垂直方向に対して脇部２９上方に６０°以下３０°以上、好ましくは４５°以下３０°以上の角度となっている。つまり、２ウェイトリコット生地１１のＸ方向は身体の水平方向に対して内股部３０上方に６０°以下の角度となる。正面では、開口部３２の列が１本位置し、左股関節部２２との境界で脇部２９に近い位置から、大腿部の途中の高さで内股部３０に達して設けられている。背面にも、開口部３２の列が１本位置し、左股関節部２２との境界で内股部３０に近い位置から、左足部２８の下端部２８ａの脇部２９に近い位置に達して設けられている。
【００１８】
これにより、２ウェイトリコット生地１１のＹ方向が大腿部正面では脇部２５，２９上方から内股部２６，３０下方へ向かうように、右足部２４と左足部でＶ字形に傾斜し、大腿部背面では内股部２６，３０上方から脇部２５，２９下方へ向かうようにハの字形に傾斜している。
【００１９】
この衣服１０の作り方は、２ウェイトリコット生地１１のＸＹ方向が、所定の角度となるように、２ウェイトリコット生地１１のＸＹ方向に交差して型紙を配置し、２ウェイトリコット生地１１を裁断し、縫製するものである。
【００２０】
衣服１０の作用について説明する。衣服１０を着用すると、右足部２４と左足部２８の２ウェイトリコット生地１１のＸ方向が、正面において、身体の垂直方向に交差して内股にねじる方向に力が働く。このため、肌に斜めの２ウェイトリコット生地１１の収縮力が発生し、摩擦力が働き、この摩擦力が筋肉に張力を発生させ、筋肉に程よい緊張感を与える。また、２ウェイトリコット生地１１が身体の各部で、伸縮し各部での最適な角度、例えば６０°以下３０°以上、好ましくは４５°以下３０°以上の角度で張力を与えるように変化する。
【００２１】
この実施形態の衣服１０によれば、着用しただけで右足部２４と左足部２８により、大腿部が内股になる方向へねじり力が働き、ねじり方向に意識が働き、足の動きを矯正したり、膝の上下運動等を真っ直ぐに行うように無意識に作用したりする等の効果がある。さらに、筋肉に程よい緊張感を与えることができ、快適な着用感となる。運動する際も体を動かしやすく、疲労感を軽減することができる。衣服１０は製造方法が簡単で、２ウェイトリコット生地１１のＸＹ方向が、所定の角度となるように型紙を配置して生地を裁断し、縫製するだけであり、コストがかからず、製造効率もよい。身体の垂直方向の伸縮が大きい股関節部分には、右股関節部２０、左股関節部２２が、２ウェイトリコット生地１１のＹ方向が身体の垂直方向とほぼ平行に設けられているため、身体の動きを妨げずにフィットすることができる。また、右ウエスト部１２、左ウエスト部１４、右足部２４、左足部２８の２ウェイトリコット生地１１には開口部３２が設けられているため、汗が乾きやすく、涼しく着用感が快適である。
【００２２】
次に、この発明の第二実施形態について図３に基づいて説明する。この実施形態の衣服３４は、ウエストラインからくるぶしまでを覆う長いスパッツである。衣服３４は、腹部の上部を覆う上腹部３６と、腹部の下部を覆う下服部３８、股関節付近を覆う股関節部４０が設けられている。
【００２３】
股関節部４０の下端部は一対の筒状に形成され、下端部には右足部４２と左足部４４がそれぞれ連続して設けられている。右足部４２は、右の大腿部を覆う円筒形であり、内股部４６で両側縁部が縫い合わされて筒状に形成されている。左足部４４は、左の大腿部を覆う円筒形であり、内股部４８で両側縁部が縫い合わされて筒状に形成されている。
【００２４】
右足部４２は、開口部３２を有する２ウェイトリコット生地１１で作られている。２ウェイトリコット生地１１のＹ方向は、図３に示す正面では上に向かうにつれて脇部４３に近づくように傾斜し、背面では上に向かうにつれて内股部４６に近づくように傾斜している。傾斜する角度は、２ウェイトリコット生地１１のＹ方向が正面では身体垂直方向に対して脇部４３上方に６０°以下３０°以上、好ましくは４５°以下３０°以上の角度となっている。正面では、開口部３２の列が４本位置している。
【００２５】
左足部４４も、開口部３２を有する２ウェイトリコット生地１１で作られている。２ウェイトリコット生地１１のＹ方向は、上に向かうにつれて脇部４５に近づくように傾斜し、背面では上に向かうにつれて内股部４８に近づくように傾斜している。傾斜する角度は、２ウェイトリコット生地１１のＹ方向が正面では身体垂直方向に対して脇部４５上方に６０°以下３０°以上、好ましくは４５°以下３０°以上の角度となっている。正面では、開口部３２の列が４本位置している。
【００２６】
この実施形態の衣服３４によれば、上記実施形態と同様の効果を有し、またくるぶしまで広い面積で身体に密着し、確実に身体の垂直方向に交差して内股にねじるような力が働き、筋肉に緊張感を与えることができる。くるぶしまで覆われるため、気温が低い時に防寒効果を有するものである。
【００２７】
なお、この発明の衣服は、上記各実施の形態に限定されるものではなく、２ウェイトリコット生地が身体の各部で、伸縮し各部での最適な角度、例えば６０°以下３０°以上の角度で適宜の張力を与えるように変化するものであればよい。また、縫製位置や開口部の位置は適宜設定可能であり、適宜着用感のよい位置や形状に設定することができる。ウエスト部や股関節部のパーツの形状や個数も自由に変更可能であり、前中心や後中心で縫い合わせるもの以外に、脇部で縫い合わせるものでもよい。左右足部の長さも、適宜変更可能である。生地は、２ウェイトリコット生地以外のものでもよく、開口部が設けられていないものを使用してもよい。また、この発明の衣服は、スパッツ以外にアンダーシャツなどでもよく、この場合は腕などにねじる力を加えて快適に着用することができる。
【符号の説明】
【００２８】
１０  衣服
１１  ２ウェイトリコット生地
１２  右ウエスト部
１４  左ウエスト部
１６  前中心
１８  後中心
２０  右股関節部
２２  左股関節部
２４  右足部
２５  脇部
２６  内股部
２８  左足部
２９  脇部
３０  内股部
３２  開口部
【図１】
2011074502.tif 000003
【図２】
2011074502.tif 000004
【図３】
2011074502.tif 000005